(57)【特許請求の範囲】
【請求項１】
複数の電話端末局と、多重回線を介して接続される該電話端末局の接続制御を行う接続制御局からなる電話網におけるチャンネル割り当て方法であって、
所定の時間内に２以上の電話端末局から同じコンテンツのリクエストの接続要求があった際に、前記多重回線の内の１チャンネルの下りチャンネルを割り当てて該２以上の電話端末局と前記接続制御局とを接続し、該割り当てられた１チャンネルの下りチャンネルにより前記コンテンツのデータが前記接続制御局から前記２以上の電話端末局に同時に伝送され、前記割り当てられた１チャンネルの下りチャンネルで受信している前記２以上の電話端末局に、前記多重回線のフレームの整数倍の周期毎に、１チャンネルの上りチャンネルが順次割り当てられるようにされていることを特徴とするチャンネル割り当て方法。
【請求項２】
複数の電話端末局と、多重回線を介して接続される該電話端末局の接続制御を行う接続制御局からなる電話網におけるチャンネル割り当て方法であって、
電話端末局からコンテンツのリクエストの接続要求があった際に、前記多重回線の内の１チャンネルの下りチャンネルを割り当てて該電話端末局と前記接続制御局とを接続し、該割り当てられた１チャンネルの下りチャンネルにより前記コンテンツのデータが前記接続制御局から前記電話端末局に伝送され、
前記コンテンツのデータを伝送中に他の電話端末局から前記コンテンツと同じコンテンツのリクエストの接続要求があった際に、前記電話端末局に割り当てられている前記１チャンネルの下りチャンネルを該他の電話端末局にも割り当てて、前記電話端末局および前記他の電話端末局と前記接続制御局とを接続し、該割り当てられた１チャンネルの下りチャンネルにより前記コンテンツのデータが、前記接続制御局から前記電話端末局および前記他の電話端末局に同時に伝送され、
前記割り当てられた１チャンネルの下りチャンネルで受信している前記電話端末局および前記他の電話端末局に、前記多重回線のフレームの整数倍の周期毎に、１チャンネルの上りチャンネルが順次割り当てられるようにされていることを特徴とするチャンネル割り当て方法。
【請求項３】
前記電話端末局への前記コンテンツのデータの伝送が終了した後は、前記他の電話端末局への前記コンテンツの残りのデータが伝送されるようにしたことを特徴とする請求項２記載のチャンネル割り当て方法。
【請求項４】
多重回線を介して接続される複数の該電話端末局の接続制御を行う接続制御局であって、
前記電話端末局から受けた接続要求信号が、通常通話リクエストなのかコンテンツのリクエストなのかを判断して、リクエストに応じたチャンネル割当情報を出力する接続要求信号検出手段と、
該接続要求信号検出手段からのチャンネル割当情報に従って、前記多重回線のうちのチャンネルを、前記接続要求信号を発した電話端末局との間に割り当てるチャンネル割当手段と、
上位の回線との接続制御を行う制御手段とを備え、
前記接続要求信号検出手段が、所定の時間内に２以上の電話端末局から同じコンテンツのリクエストの接続要求を検出した場合は、この際に前記接続要求信号検出手段が出力したチャンネル割当情報に従って、前記チャンネル割当手段が前記多重回線の内の１チャンネルの下りチャンネルを前記２以上の電話端末局に割り当てると共に、該１チャンネルの下りチャンネルが割り当てられた前記２以上の電話端末局に、前記多重回線のフレームの整数倍の周期毎に１チャンネルの上りチャンネルを順次割り当て、前記制御手段が上位の回線から取り込んだリクエストされた前記コンテンツのデータを、割り当てられた前記１チャンネルの下りチャンネルを介して前記２以上の電話端末局に同時に伝送するようにしたことを特徴とする接続制御局。
【請求項５】
多重回線を介して接続される複数の該電話端末局の接続制御を行う接続制御局であって、
前記電話端末局から受けた接続要求信号が、通常通話リクエストなのかコンテンツのリクエストなのかを判断して、リクエストに応じたチャンネル割当情報を出力する接続要求信号検出手段と、
該接続要求信号検出手段からのチャンネル割当情報に従って、前記多重回線のうちのチャンネルを、前記接続要求信号を発した電話端末局との間に割り当てるチャンネル割当手段と、
上位の回線との接続制御を行う制御手段とを備え、
前記接続要求信号検出手段が、前記電話端末局からコンテンツのリクエストの接続要求を検出した際に出力したチャンネル割当情報に従って、前記チャンネル割当手段が前記多重回線の内の１チャンネルの下りチャンネルを該電話端末局に割り当て、前記制御手段が上位の回線から取り込んだリクエストされた前記コンテンツのデータを、該割り当てられた１チャンネルの下りチャンネルを介して前記電話端末局に伝送するようにされており、前記コンテンツのデータを伝送中に、前記接続要求信号検出手段が他の電話端末局から前記コンテンツと同じコンテンツのリクエストの接続要求を検出した場合は、この際に前記接続要求信号検出手段が出力したチャンネル割当情報に従って、前記チャンネル割当手段が前記電話端末局に割り当てられている前記１チャンネルの下りチャンネルを該他の電話端末局にも割り当て、前記制御手段が上位の回線から取り込んだリクエストされた前記コンテンツのデータを、該割り当てられた１チャンネルの下りチャンネルにより、前記電話端末局および前記他の電話端末局に同時に伝送するようにされ、前記チャンネル割り当て手段は前記１チャンネルの下りチャンネルが割り当てられた前記電話端末局および前記他の電話端末局に、前記多重回線のフレームの整数倍の周期毎に１チャンネルの上りチャンネルを順次割り当てるようにしたことを特徴とする接続制御局。
【請求項６】
前記電話端末局への前記コンテンツのデータの伝送が終了した後は、前記他の電話端末局への前記コンテンツの残りのデータが伝送されるようにしたことを特徴とする請求項５記載の接続制御局。
【発明の詳細な説明】
【０００１】
【発明が属する技術分野】
本発明は、基地局と複数の電話端末局とが多重回線を介して通信を行う際のチャンネル割り当て方法および接続制御局に関するものであり、セルラーシステムに適用して好適なものである。
【０００２】
【従来の技術】
アナログセルラーシステムやデジタルセルラーシステムとして知られている自動車電話システムやＰＤＣ（Ｐｅｒｓｏｎａｌ  Ｄｉｇｉｔａｌ  Ｃｅｌｌｕｌａｒ  ｔｅｌｅｃｏｍｍｕｎｉｃａｔｉｏｎ  ｓｙｓｔｅｍ）等の無線電話システム、および、簡易型携帯電話システム（ＰＨＳ：Ｐｅｒｓｏｎａｌ  Ｈａｎｄｙｐｈｏｎｅ  Ｓｙｓｔｅｍ）は、基地局と複数の電話端末局とが時分割多重化（ＴＤＭＡ）された無線回線を介して通信を行うようにされている。基地局には隣接する基地局と干渉を生じないような固有の周波数の帯域が割り当てられており、この帯域からなる回線を複数の時分割多重化（ＴＤＭＡ）された回線として、複数の電話端末局と基地局とが通信を行えるようにしている。
【０００３】
基地局と電話端末局である携帯電話機とが通信を行う際のチャンネル割り当ての従来の態様を図８を参照しながら説明する。図８は、基地局と携帯電話機１ａ〜１ｃとが通信を行う際に各携帯電話機に割り当てられる時分割された送信／受信チャンネル、および、基地局が使用する時分割された送信／受信チャンネルの態様を示している。
基地局から携帯電話機への送信（下り）のチャンネルと、基地局の携帯電話機からの受信（上り）のチャンネルとは、１フレームが４つに時分割されてＣＨ１〜ＣＨ４の４チャンネルとされている。例えば、携帯電話機１ａ，１ｂ，１ｃの３台が基地局と通信している際には、携帯電話機１ａにＣＨ１が割り当てられてＣＨ１の下りチャンネルが携帯電話機１ａへの送信に、ＣＨ１の上りチャンネルが携帯電話機１ａからの受信に割り当てられ、携帯電話機１ｂにＣＨ２が割り当てられてＣＨ２の下りチャンネルが携帯電話機１ｂへの送信に、ＣＨ２の上りチャンネルが携帯電話機１ｂからの受信に割り当てられ、携帯電話機１ｃにＣＨ３が割り当てられてＣＨ３の下りチャンネルが携帯電話機１ｃへの送信に、ＣＨ３の上りチャンネルが携帯電話機１ｃからの受信に割り当てられる。すなわち、図示するように携帯電話機１ａは基地局とＣＨ１により送受信することができ、携帯電話機１ｂは基地局とＣＨ２により送受信することができ、携帯電話機１ｃは基地局とＣＨ３により送受信することができるようになる。
【０００４】
【発明が解決しようとする課題】
このように、従来のセルラーシステムでは、携帯電話機が通信する際には、携帯電話機毎に上りチャンネルと下りチャンネルからなる１チャンネルを専用に割り当てて通信するようにしていた。このため、基地局と携帯電話機との間の多重回線数が図８に示すように４チャンネルとされていると、通信をリクエストした携帯電話機が４台を超えるようになると超えた携帯電話機は基地局と通信できないことになる。すなわち呼損が発生するという問題点があった。特に、最近では天気予報、ニュース等の情報配信や着信メロディ用の楽曲データ等のデータの配信が盛んに行われており、呼損が発生する頻度が高くなってきている。
【０００５】
そこで、本発明は回線利用率を向上することにより効率的にデータ伝送を行えるようにしたチャンネル割り当て方法および接続制御局を提供することを目的としている。
【０００６】
【課題を解決するための手段】
前記目的を達成するために、本発明のチャンネル割り当て方法は、複数の電話端末局と、多重回線を介して接続される該電話端末局の接続制御を行う接続制御局からなる電話網におけるチャンネル割り当て方法であって、所定の時間内に２以上の電話端末局から同じコンテンツのリクエストの接続要求があった際に、前記多重回線の内の１チャンネルの下りチャンネルを割り当てて該２以上の電話端末局と前記接続制御局とを接続し、該割り当てられた１チャンネルの下りチャンネルにより前記コンテンツのデータが前記接続制御局から前記２以上の電話端末局に同時に伝送され、前記割り当てられた１チャンネルの下りチャンネルで受信している前記２以上の電話端末局に、前記多重回線のフレームの整数倍の周期毎に、１チャンネルの上りチャンネルが順次割り当てられるようにされている。
【０００７】
また、前記目的を達成することのできる本発明の他のチャンネル割り当て方法は、複数の電話端末局と、多重回線を介して接続される該電話端末局の接続制御を行う接続制御局からなる電話網におけるチャンネル割り当て方法であって、電話端末局からコンテンツのリクエストの接続要求があった際に、前記多重回線の内の１チャンネルの下りチャンネルを割り当てて該電話端末局と前記接続制御局とを接続し、該割り当てられた１チャンネルの下りチャンネルにより前記コンテンツのデータが前記接続制御局から前記電話端末局に伝送され、前記コンテンツのデータを伝送中に他の電話端末局から前記コンテンツと同じコンテンツのリクエストの接続要求があった際に、前記電話端末局に割り当てられている前記１チャンネルの下りチャンネルを該他の電話端末局にも割り当てて、前記電話端末局および前記他の電話端末局と前記接続制御局とを接続し、該割り当てられた１チャンネルの下りチャンネルにより前記コンテンツのデータが、前記接続制御局から前記電話端末局および前記他の電話端末局に同時に伝送され、前記割り当てられた１チャンネルの下りチャンネルで受信している前記電話端末局および前記他の電話端末局に、前記多重回線のフレームの整数倍の周期毎に、１チャンネルの上りチャンネルが順次割り当てられるようにされている。
【０００８】
さらに、上記本発明のチャンネル割り当て方法において、前記電話端末局への前記コンテンツのデータの伝送が終了した後は、前記他の電話端末局への前記コンテンツの残りのデータが伝送されるようにしてもよい。
【０００９】
上記目的を達成することのできる本発明の接続制御局は、多重回線を介して接続される複数の該電話端末局の接続制御を行う接続制御局であって、前記電話端末局から受けた接続要求信号が、通常通話リクエストなのかコンテンツのリクエストなのかを判断して、リクエストに応じたチャンネル割当情報を出力する接続要求信号検出手段と、該接続要求信号検出手段からのチャンネル割当情報に従って、前記多重回線のうちのチャンネルを、前記接続要求信号を発した電話端末局との間に割り当てるチャンネル割当手段と、上位の回線との接続制御を行う制御手段とを備え、前記接続要求信号検出手段が、所定の時間内に２以上の電話端末局から同じコンテンツのリクエストの接続要求を検出した場合は、この際に前記接続要求信号検出手段が出力したチャンネル割当情報に従って、前記チャンネル割当手段が前記多重回線の内の１チャンネルの下りチャンネルを前記２以上の電話端末局に割り当てると共に、該１チャンネルの下りチャンネルが割り当てられた前記２以上の電話端末局に、前記多重回線のフレームの整数倍の周期毎に１チャンネルの上りチャンネルを順次割り当て、前記制御手段が上位の回線から取り込んだリクエストされた前記コンテンツのデータを、割り当てられた前記１チャンネルの下りチャンネルを介して前記２以上の電話端末局に同時に伝送するようにしている。
【００１０】
また、上記目的を達成することのできる本発明の他の接続制御局は、多重回線を介して接続される複数の該電話端末局の接続制御を行う接続制御局であって、前記電話端末局から受けた接続要求信号が、通常通話リクエストなのかコンテンツのリクエストなのかを判断して、リクエストに応じたチャンネル割当情報を出力する接続要求信号検出手段と、該接続要求信号検出手段からのチャンネル割当情報に従って、前記多重回線のうちのチャンネルを、前記接続要求信号を発した電話端末局との間に割り当てるチャンネル割当手段と、上位の回線との接続制御を行う制御手段とを備え、前記接続要求信号検出手段が、前記電話端末局からコンテンツのリクエストの接続要求を検出した際に出力したチャンネル割当情報に従って、前記チャンネル割当手段が前記多重回線の内の１チャンネルの下りチャンネルを該電話端末局に割り当て、前記制御手段が上位の回線から取り込んだリクエストされた前記コンテンツのデータを、該割り当てられた１チャンネルの下りチャンネルを介して前記電話端末局に伝送するようにされており、前記コンテンツのデータを伝送中に、前記接続要求信号検出手段が他の電話端末局から前記コンテンツと同じコンテンツのリクエストの接続要求を検出した場合は、この際に前記接続要求信号検出手段が出力したチャンネル割当情報に従って、前記チャンネル割当手段が前記電話端末局に割り当てられている前記１チャンネルの下りチャンネルを該他の電話端末局にも割り当て、前記制御手段が上位の回線から取り込んだリクエストされた前記コンテンツのデータを、該割り当てられた１チャンネルの下りチャンネルにより、前記電話端末局および前記他の電話端末局に同時に伝送するようにされ、前記チャンネル割り当て手段は前記１チャンネルの下りチャンネルが割り当てられた前記電話端末局および前記他の電話端末局に、前記多重回線のフレームの整数倍の周期毎に１チャンネルの上りチャンネルを順次割り当てるようにしている。
さらに、上記本発明の接続制御局において、前記電話端末局への前記コンテンツのデータの伝送が終了した後は、前記他の電話端末局への前記コンテンツの残りのデータが伝送されるようにしてもよい。
【００１１】
このような本発明によれば、同じコンテンツのデータを２以上の電話端末局に伝送する際には、１つの下りチャンネルを割り当てて２以上の電話端末局に同時に伝送するようにしたので、１チャンネルにより２以上の電話端末局と接続制御局である基地局とを接続してデータを伝送することができる。これにより、回線利用率を向上することができ、呼損が発生することを極力防止することができる。
また、他の本発明によればコンテンツのデータを伝送している最中に、同じコンテンツのリクエストが発生した場合は、リクエストした全ての電話端末局に１つの下りチャンネルを割り当てて同じコンテンツのデータを伝送するようにしている。このため、１チャンネルにより２以上の電話端末局と接続制御局である基地局とを接続してデータを伝送することができるので、回線利用率を向上することができ、呼損が発生することを極力防止することができる。
【００１２】
さらに、コンテンツのリクエスト時に電話端末局に割り当てる上りチャンネルとしては、フレーム周期の整数倍の周期毎に順次電話端末局に割り当てるようにする。あるいは、割り当てられたチャンネルの上りチャンネルを時分割して、それぞれの分割されたチャンネルをリクエストした全ての電話端末局にそれぞれ割り当てるようにする。このように、低速の上りチャンネルを割り当てるようにしても電話端末局から送信するデータはリクエストチェンジが主なデータとなるので十分伝送することができる。
【００１３】
【発明の実施の形態】
本発明のチャンネル割り当て方法を適用できるセルラーシステムの概略構成を図１に示す。
セルラーシステムは、一般に小ゾーン方式が採用されてサービスエリア内に多数の無線ゾーンが配置されている。この各々の無線ゾーンを管理するのが基地局であり、移動局である携帯電話機が一般電話機と通話する際には、携帯電話機が属する無線ゾーンを管理している基地局を介して移動交換局に接続され、移動交換局から一般電話網に接続されるようになる。これにより、携帯電話機は、各無線ゾーンを管理する基地局と無線回線を介して接続されることにより他の電話機と通話を行うことができるようになる。
【００１４】
このようなセルラーシステムの一例が図１に示されており、携帯電話機１ａ〜１ｄは基地局２ａ〜基地局２ｄのうちの基地局２ｃが管理する無線ゾーン内に属している場合が示されている。携帯電話機１ａ〜１ｄと基地局２ｃとは時分割多重化（ＴＤＭＡ）された無線回線により接続されており、携帯電話機１ａ〜１ｄから送信された通話を行う際や位置登録を行う際の上り信号は基地局２ｃで受信されて処理される。また、基地局２ｃから送信された下りの信号である相手の電話端末局からの通話信号やダウンロード用のデータは発信元の携帯電話機１ａ〜１ｄにより受信される。基地局２ａ〜基地局２ｄはそれぞれ異なる無線ゾーンを管理しているが、その無線ゾーンの周縁は相互に重なるようになっていてもよい。基地局２ａ〜基地局２ｄは多重化回線を介して移動交換局３に接続され、さらに、複数の移動交換局３は関門交換局４で集線されて一般電話交換局５ａに接続される。複数設けられた関門交換局４は相互に中継伝送路で接続されている。一般電話交換局５ａ，５ｂ，５ｃ・・・は各地域毎に設置されており、一般電話交換局５ａ，５ｂ，５ｃ・・・間も中継伝送路で相互に接続されている。一般電話交換局５ａ，５ｂ，５ｃ・・・の各々には、多数の一般電話が接続されており、例えば、一般電話交換局５ａにはダウンロードセンター６およびコンテンツ配信センター７が接続されている。
【００１５】
ダウンロードセンター６には随時新曲が追加されて多数の楽曲データが蓄積された楽曲データベース（楽曲ＤＢ）が設けられており、本発明においては、一般電話網に接続されているダウンロードセンター６から、携帯電話機１ａ〜１ｄや他の電話端末局に楽曲データをダウンロードすることができるようにされている。さらに、コンテンツ配信センター７には随時更新された最新の天気予報やニュース等が蓄積されており、これらのコンテンツを、一般電話網に接続されているコンテンツ配信センター７から、携帯電話機１ａ〜１ｄや他の電話端末局に配信することができるようにされている。
例えば、携帯電話機１ａが楽曲データをダウンロードする際には、携帯電話機１ａはダウンロードセンター６の電話番号を発呼する。これにより、携帯電話機１ａ−基地局２ｃ−移動交換局３−関門交換局４−一般電話交換局５ｂ−一般電話交換局５ａ−ダウンロードセンター６の経路で、ダウンロードセンター６と携帯電話機１との経路が接続される。次いで、携帯電話機１ａは表示器に表示されるメニューに従ってダイヤルボタン等を操作すれば、所望の曲名の楽曲データを楽曲ＤＢからダウンロードすることができる。この場合の、楽曲データとは楽譜データと音色データとから構成されている。また、上述と同様の方法によりコンテンツ配信センター７から天気予報やニュースを携帯電話機１ａに配信することができる。
【００１６】
図１に示す携帯電話機１ａ〜１ｄは同様の構成とされており、その構成例を図２に示す。
図２において、携帯電話機１は、一般にリトラクタブルとされたアンテナ２５を備え、アンテナ２５は変調・復調機能を有する通信部１３に接続されている。システム用の中央処理装置（Ｃｅｎｔｒａｌ  Ｐｒｏｃｅｓｓｉｎｇ  Ｕｎｉｔ：ＣＰＵ）１０は、電話機能プログラムを実行することにより携帯電話機１の各部の動作を制御するシステム制御部であり、動作時の経過時間を示したり、特定の時間間隔でタイマ割込を発生するタイマを備えている。ＲＡＭ１１はダウンロードセンター６からダウンロードされた楽譜データおよび音色データからなる楽曲データの格納エリアや、ユーザ設定データ格納エリア、および、ＣＰＵ１０のワークエリア等が設定されるＲＡＭ（Ｒａｎｄｏｍ  Ａｃｃｅｓｓ  Ｍｅｍｏｒｙ）である。ＲＯＭ１２はＣＰＵ１０が実行する送信や着信の各種電話機能プログラム等のプログラムや、プリセットされた楽譜データや音色データ等の各種データが格納されているＲＯＭ（Ｒｅａｄ  Ｏｎｌｙ  Ｍｅｍｏｒｙ）である。
【００１７】
また、通信部１３は、基地局２から送信されてアンテナ２５で受信された信号の復調を行うと共に、基地局２へ向けて送信する信号を変調してアンテナ２５から送出している。通信部１３で復調された受話信号は、音声処理部（コーダ／デコーダ）１４において復号され、マイク２１から入力された送話信号は音声処理部１４において圧縮符号化される。音声処理部１４は、送話用の音声を高能率圧縮符号化／復号化しており、例えばＣＥＬＰ（Ｃｏｄｅ  Ｅｘｃｉｔｅｄ  ＬＰＣ  ）系やＡＤＰＣＭ（適応差分ＰＣＭ符号化）方式のコーダ／デコーダとされている。楽曲再生部１５は、音声処理部１４からの受話信号を受話用スピーカ２２から放音したり、楽曲データを再生して着信音／保留音として出力している。なお、着信音は着信用スピーカ２３から放音され、保留音は受話用スピーカ２２から放音される。
【００１８】
また、楽曲再生部１５が楽曲データを再生する際には、ＣＰＵ１０がＲＡＭ１１あるいはＲＯＭ１２に記憶されている楽曲データを読み出して楽曲再生部１５に転送している。インタフェース（Ｉ／Ｆ）１６は、パーソナルコンピュータ等の外部機器２０から楽譜データと音色データからなる楽曲データ等をダウンロードするためのインタフェースである。入力部１７は携帯電話機１に備えられた「０」から「９」のテンキーやジョグダイヤル等から構成される入力手段である。表示部１８は電話機能のメニューや、テンキーやジョグダイヤル等のボタンの操作に応じた表示がされる表示器である。バイブレータ１９は、着信時に着信音に代えて携帯電話機１の本体を振動させることにより、着信をユーザに知らせるバイブレータである。なお、各機能ブロックはバス２４を介してデータや命令の授受を行っている。
【００１９】
次に、図１に示すセルラーシステムで実行される本発明のチャンネル割り当て方法の第１の実施の形態を図３を参照しながら説明する。
図３には、図１に示す基地局２ｃと携帯電話機１ａ〜１ｄとが通信を行う際に各携帯電話機に割り当てられる時分割された送信／受信チャンネル、および、基地局２ｃが使用する時分割された送信／受信チャンネルの態様が示されている。図３では基地局２ｃと携帯電話機１ａ〜１ｄとの間の時分割多重化された無線回線が４チャンネルで構成された場合のチャンネル割当が示されており、１フレームが４チャンネルとされている。すなわち、基地局２ｃから携帯電話機１ａ〜１ｄへの送信（下り）のチャンネルと、基地局２ｃの携帯電話機１ａ〜１ｄからの受信（上り）のチャンネルとは、１フレームが４つに時分割されてＣＨ１〜ＣＨ４の４チャンネルとされている。図３は、携帯電話機１ａ，１ｂ，１ｃの３台が基地局２ｃと通信していると共に、ダウンロードセンター６から同じ楽曲データをリクエストしてダウンロードしているか、あるいは、コンテンツ配信センター７から同じデータをリクエストしてそのデータが配信されている際のチャンネル割当が示されている。
【００２０】
このように、同じコンテンツ（以下、コンテンツには楽曲データも含むものとする）のデータをリクエストしてそのデータが転送される際には、図示するように基地局２ｃにおける下りチャンネルのＣＨ１が共用されて３台の携帯電話機１ａ〜１ｃへの送信チャンネルとして割り当てられ、上りチャンネルの４フレーム周期毎のフレーム１のＣＨ１（サブチャンネル１１）が携帯電話機１ａから基地局２ｃへの送信チャンネルに割り当てられ、上りチャンネルの４フレーム周期毎のフレーム２のＣＨ１（サブチャンネル１２）が携帯電話機１ｂから基地局２ｃへの送信チャンネルに割り当てられ、上りチャンネルの４フレーム周期毎のフレーム３のＣＨ１（サブチャンネル１３）が携帯電話機１ｃから基地局２ｃへの送信チャンネルに割り当てられる。
【００２１】
すなわち、図示するように３台の携帯電話機１ａ〜１ｃと基地局２ｃとは多重された４チャンネルのうちのＣＨ１を共用することにより、基地局２ｃはその下りのチャンネルで同じコンテンツのデータを送信している。３台の携帯電話機１ａ〜１ｃは割り当てられたＣＨ１を受信することにより、基地局２ｃから送信された同じコンテンツのデータをそれぞれ受信することができる。そして、３台の携帯電話機１ａ〜１ｃには、それぞれ異なるタイミングの４フレーム周期毎の上りのＣＨ１のサブチャンネル１１〜１３が割り当てられて基地局２ｃへ送信することができる。これにより、３台の携帯電話機１ａ〜１ｃは基地局２ｃとＣＨ１の１チャンネルのみを使用にすることにより相互に送受信することができ、回線利用率を向上することができるようになる。なお、コンテンツのデータを３台の携帯電話機１ａ〜１ｃへ転送する際には、携帯電話機１ａ〜１ｃのそれぞれから送信する情報はコンテンツの変更等の情報となるので、割り当てられた送信チャンネルが低速のチャンネルであっても十分伝送することができるようになる。
【００２２】
次に、図１に示すセルラーシステムで実行される本発明のチャンネル割り当て方法の第２の実施の形態を図４を参照しながら説明する。ただし、図４は、基地局２ｃと携帯電話機１ａ〜１ｄとが通信を行う際に各携帯電話機に割り当てられる時分割された送信／受信チャンネル、および、基地局２ｃが使用する時分割された送信／受信チャンネルの態様を示している。
図４にも基地局２ｃと携帯電話機１ａ〜１ｄとの間の時分割多重化された無線回線が４チャンネルで構成された例が示されており、１フレームが４チャンネルとされている。すなわち、基地局２ｃから携帯電話機１ａ〜１ｄへの送信（下り）のチャンネルと、基地局２ｃの携帯電話機１ａ〜１ｄからの受信（上り）のチャンネルとは、１フレームが４つに時分割されてＣＨ１〜ＣＨ４の４チャンネルとされている。図４は、携帯電話機１ａ，１ｂ，１ｃの３台が基地局２ｃと通信していると共に、ダウンロードセンター６から同じ楽曲データをリクエストしてダウンロードしているか、あるいは、コンテンツ配信センター７から同じデータをリクエストしてそのデータが配信されている際のチャンネル割当が示されている。
【００２３】
第２の実施の形態では、同じコンテンツ（コンテンツには楽曲データも含むものとする）のデータをリクエストしてそのデータが転送される際には、図４に示すように基地局２ｃにおける下りチャンネルのＣＨ１を共用して３台の携帯電話機１ａ〜１ｃへの送信チャンネルとされ、上りチャンネルのＣＨ１がさらに４つに時分割されてサブチャンネル１１〜１４とされて、サブチャンネル１１が携帯電話機１ａから基地局２ｃへの送信チャンネルに割り当てられ、サブチャンネル１２が携帯電話機１ｂから基地局２ｃへの送信チャンネルに割り当てられ、サブチャンネル１３が携帯電話機１ｃから基地局２ｃへの送信チャンネルに割り当てられる。
【００２４】
すなわち、図示するように３台の携帯電話機１ａ〜１ｃと基地局２ｃとは多重された４チャンネルのうちのＣＨ１を共用することにより、基地局２ｃはその下りのチャンネルで同じコンテンツのデータを送信している。３台の携帯電話機１ａ〜１ｃは割り当てられたＣＨ１を受信することにより、基地局２ｃから送信された同じコンテンツのデータをそれぞれ受信することができる。そして、３台の携帯電話機１ａ〜１ｃには、ＣＨ１の上りのチャンネルを時分割したサブチャンネル１１〜１３がそれぞれ割り当てられて基地局２ｃへ送信することができる。これにより、３台の携帯電話機１ａ〜１ｃは基地局２ｃとＣＨ１の１チャンネルのみを使用にすることにより相互に送受信することができ、回線利用率を向上することができるようになる。なお、コンテンツのデータを３台の携帯電話機１ａ〜１ｃへ転送する際には、携帯電話機１ａ〜１ｃのそれぞれから送信する情報はコンテンツの変更等の情報となるので、割り当てられた送信チャンネルが低速のチャンネルであっても十分伝送することができるようになる。
【００２５】
なお、以上説明した本発明のチャンネル割り当て方法における第１の実施の形態および第２の実施の形態は、コンテンツをリクエストしてそのデータを携帯電話機に転送するようにした際のチャンネル割り当て方法であって、通常の通話をリクエストした際には図３および図４に示す態様のチャンネル割当は行われない。図１に示すセルラーシステムにおいて３台の携帯電話機１ａ，１ｂ，１ｃが通常の通話をリクエストした際のチャンネル割当は、従来例として示した図８のようになる。
図８には基地局２ｃと携帯電話機１ａ〜１ｄとの間の時分割多重無線回線が４チャンネルで構成された例に該当し、基地局２ｃから携帯電話機１ａ〜１ｄへの送信（下り）チャンネルと、携帯電話機１ａ〜１ｄからの基地局２ｃの受信（上り）チャンネルとは、１フレームが４つに時分割されてＣＨ１〜ＣＨ４の４チャンネルとされている。
【００２６】
ここで、携帯電話機１ａ，１ｂ，１ｃの３台が基地局２ｃと通信している際には、携帯電話機１ａにＣＨ１が割り当てられてＣＨ１の下りチャンネルが基地局２ｃから携帯電話機１ａへの送信に、ＣＨ１の上りチャンネルが携帯電話機１ａからの受信に割り当てられ、携帯電話機１ｂにＣＨ２が割り当てられてＣＨ２の下りチャンネルが携帯電話機１ｂへの送信に、ＣＨ２の上りチャンネルが携帯電話機１ｂからの受信に割り当てられ、携帯電話機１ｃにＣＨ３が割り当てられてＣＨ３の下りチャンネルが携帯電話機１ｃへの送信に、ＣＨ３の上りチャンネルが携帯電話機１ｃからの受信に割り当てられる。
すなわち、図示するように携帯電話機１ａは基地局２ｃとＣＨ１により送受信することができ、携帯電話機１ｂは基地局２ｃとＣＨ２により送受信することができ、携帯電話機１ｃは基地局２ｃとＣＨ３により送受信することができるようになる。
このように、通常通話が行われる際には、従来と同様のチャンネル割当が行われるので、この際には回線利用率は従来と同様になる。
【００２７】
次に、本発明にかかる接続制御局である基地局２の実施の態様の構成を図５に示す。図５において、３１は一般にダイバーシティアンテナとされたアンテナであり、３２はアンテナ３１で受信された受信信号を受信部３３に分岐し、送信部３８からの送信信号をアンテナ３１に分岐するデュプレクサ（ＤＵＰ）である。３３は受信信号を復調して、その受信信号中の接続要求信号を接続要求信号検出部３４に供給し、その受信信号が切断信号であれば切断信号検出部３７に供給する受信部である。そして、受信部３３は接続要求信号および切断信号以外の信号を制御部３６に供給する。３４は接続要求信号を受けた際に、通常通話リクエストなのかコンテンツのリクエストなのかを判断して、リクエストに応じたチャンネル割当情報をチャンネル割当部（ＣＨ割当）３５に供給する接続要求信号検出部である。この接続要求信号検出部３４は、接続要求信号中の接続先の電話番号によりコンテンツのリクエストであることを判断したり、接続要求信号中の宛先のアドレスによりコンテンツのリクエストであることを判断する。
【００２８】
３５はチャンネル割当情報に従ってチャンネルを割り当てて送信部３８に基地局２に割り当てたチャンネルを設定すると共に、携帯電話機１に割り当てたチャンネル割当情報を制御部３６に供給するチャンネル割当部である。３６は受信部３３から供給された発信情報や通話信号を回線に送出して移動交換局３に送ると共に、回線からの接続要求信号を接続要求信号検出部３４に供給し、回線からの切断要求信号を切断信号検出部３７に供給する制御部３６である。さらに、制御部３６は回線からの着信情報や通話信号あるいはコンテンツのデータを送信部３８に供給しており、基地局２の全体の制御を行っている。３８はチャンネル割当部３５で設定されたチャンネルで送信されるように制御部３６から供給された各種信号を変調してＤＵＰ３２に供給する送信部である。
【００２９】
この図５に示す構成の本発明にかかる基地局２で実行される本発明の第１のチャンネル割り当て方法を図６に示す第１の通信のシーケンスで説明する。
図６に示す通信のシーケンスにおいて、まず携帯電話機１ａから制御チャンネルを使用して接続要求信号が送信される。この接続要求信号が、ダウンロードセンター６から楽曲１をダウンロードするリクエストであったとする。接続要求信号検出部３４は、接続要求信号中の接続先の電話番号がダウンロードセンター６とされていることからコンテンツのリクエストと判断し、この携帯電話機１ａからの接続要求信号から所定時間、例えば５秒間他の携帯電話機から同様の接続要求を待つ。ここで、図示するように携帯電話機１ｂおよび携帯電話機１ｃからダウンロードセンター６から楽曲１をダウンロードするリクエストの接続要求信号があったとする。このような同じコンテンツをリクエストする接続要求信号を基地局２の接続要求信号検出部３４が検出すると、接続要求信号検出部３４は３台の携帯電話機１ａ〜１ｃに送信チャンネルおよび受信チャンネルをそれぞれ割り当てる。この場合は、３台の携帯電話機１ａ〜１ｃは同じコンテンツのリクエストとされていることから、チャンネルを共用して割り当てるようにする。
【００３０】
すなわち、携帯電話機１ａには、受信チャンネルとしてＣＨ１、送信チャネルとして図３に示すフレーム１のＣＨ１（以下、「サブチャンネルＣＨ１１」とする）が割り当てられ、携帯電話機１ｂには、受信チャンネルとしてＣＨ１、送信チャンネルとして図３に示すフレーム２のＣＨ１（以下、「サブチャンネルＣＨ１２」とする）が割り当てられ、携帯電話機１ｃには、受信チャンネルとしてＣＨ１、送信チャンネルとして図３に示すフレーム３のＣＨ１（以下、「サブチャンネルＣＨ１３」とする）が割り当てられる。これらのチャンネル割り当て情報はＣＨ割当部３５から制御部３６に送られ、送信部３８で変調されてＤＵＰ３８を介してアンテナ３１から３台の携帯電話機１ａ〜１ｃに送信される。なお、ＣＨ割当部３５は上記チャンネル割り当てに従って送信部３８に基地局２の送信チャンネルを設定するが、この場合は携帯電話機１ａ〜１ｃに送信するチャンネルがＣＨ１に設定される。
【００３１】
制御部３６は、接続要求信号が楽曲１をダウンロードするリクエストであることから、移動交換局３−関門交換局４−一般電話交換局５ｂ−一般電話交換局５ａ−ダウンロードセンター６の回線を介して、ダウンロードセンター６から楽曲１の楽曲データを読み出す。読み出した楽曲１の楽曲データは、制御部３６から送信部３８に供給されて、送信部３８で変調されＤＵＰ３８を介してアンテナ３１からＣＨ１で楽曲１の楽曲データが送信されるようになる。これにより、３台の携帯電話機１ａ〜１ｃはＣＨ１を受信することにより楽曲１の楽曲データをダウンロードすることができる。携帯電話機１ａにおいて楽曲１の楽曲データのダウンロードが終了し、終了ボタンを操作すると切断要求が基地局２にサブチャンネルＣＨ１１の送信チャンネルで送信され、基地局２はこれを受けて携帯電話機１ａとの間の回線を切断する。同様に、携帯電話機１ｂにおいて楽曲１の楽曲データのダウンロードが終了し、終了ボタンを操作すると切断要求が基地局２にサブチャンネルＣＨ１２の送信チャンネルで送信され、基地局２はこれを受けて携帯電話機１ｂとの間の回線を切断する。
【００３２】
ここで、携帯電話機１ｃにおいて楽曲１の楽曲データのダウンロードが終了した際に、さらに楽曲２をダウンロードセンター６からダウンロードする接続要求を基地局２にサブチャンネルＣＨ１３の送信チャンネルで送信したとする。そして、この携帯電話機１ｃからの接続要求信号から所定時間待機した際に、例えば５秒待機する間に携帯電話機１ｄから楽曲２をダウンロードセンター６からダウンロードする接続要求があったとする。基地局２はこれを受けて同じコンテンツをリクエストする接続要求信号が複数あったことを接続要求信号検出部３４が検出し、接続要求信号検出部３４は２台の携帯電話機１ｃ，１ｄに改めて送信チャンネルおよび受信チャンネルをそれぞれ割り当てなおす。
【００３３】
すなわち、携帯電話機１ｃには、受信チャンネルとしてＣＨ１、送信チャンネルとしてサブチャンネルＣＨ１１が割り当てられ、携帯電話機１ｄには、受信チャンネルとしてＣＨ１、送信チャンネルとしてサブチャンネルＣＨ１２が割り当てられる。これらのチャンネル割り当て情報はＣＨ割当部３５から制御部３６に送られ、送信部３８で変調されてＤＵＰ３８を介してアンテナ３１から２台の携帯電話機１ｃ，１ｄに送信される。なお、ＣＨ割当部３５は上記チャンネル割り当てに従って送信部３８に基地局２の送信チャンネルを設定するが、この場合は携帯電話機１ｃ，１ｄに送信するチャンネルがＣＨ１に設定される。
【００３４】
制御部３６は、ダウンロードセンター６への回線を介して、ダウンロードセンター６から楽曲２の楽曲データを読み出す。読み出した楽曲２の楽曲データは、制御部３６から送信部３８に供給されて、送信部３８で変調されＤＵＰ３８を介してアンテナ３１からＣＨ１で楽曲２の楽曲データが送信されるようになる。これにより、２台の携帯電話機１ｃ，１ｄはＣＨ１を受信することにより楽曲２の楽曲データをダウンロードすることができる。携帯電話機１ｃにおいて楽曲２の楽曲データのダウンロードが終了し、終了ボタンを操作すると切断要求が基地局２にサブチャンネルＣＨ１１の送信チャンネルで送信され、基地局２はこれを受けて携帯電話機１ｃとの間の回線を切断する。同様に、携帯電話機１ｄにおいて楽曲２の楽曲データのダウンロードが終了し、終了ボタンを操作すると切断要求が基地局２にサブチャンネルＣＨ１２の送信チャンネルで送信され、基地局２はこれを受けて携帯電話機１ｄとの間の回線を切断する。
【００３５】
このように、ダウンロードする楽曲データが同じ場合は１チャンネルだけを用いて複数の電話端末局に楽曲データを配信することができるようになる。また、楽曲データではなく、同じコンテンツの天気予報やニュースの配信を複数の電話端末局が所定時間内にリクエストした際にも、上述したチャンネル割り当て方法によりコンテンツ配信センター７から１チャンネルだけを用いて複数の電話端末局に同じコンテンツの天気予報やニュースを配信することができる。さらに、同じコンテンツの接続要求が生起するまで待機する所定時間は、５秒に限るものではなくそれ以上としてもそれ以下としてもよい。
また、上記の説明ではチャンネル割り当てを図３に示す本発明の第１のチャンネル割り当て方法により行うようにしたが、図４に示す本発明の第２のチャンネル割り当て方法により行うようにしてもよい。
なお、ダウンロードセンター６から配信される楽曲データや、コンテンツ配信センター７から配信される天気予報やニュースはストリームデータとされるが、このようなストリームデータを複数の電話端末局に配信する際に使用するチャンネルを予めマルチキャスト回線としてリザーブして優先的に使用できるようにしてもよい。
【００３６】
次に、図５に示す構成の本発明にかかる基地局２で実行される本発明の第２のチャンネル割り当て方法を図７に示す第２の通信のシーケンスで説明する。
図７に示す通信のシーケンスにおいて、まず携帯電話機１ａから制御チャンネルを使用して楽曲１をダウンロードする接続要求信号が送信される。接続要求信号検出部３４は、接続要求信号中の接続先の電話番号がダウンロードセンター６とされていることからコンテンツのリクエストと判断し、接続要求信号検出部３４は携帯電話機１ａに送信チャンネルおよび受信チャンネルをそれぞれ割り当てる。この場合は、携帯電話機１ａに、受信チャンネルとしてＣＨ１を、送信チャンネルとしてサブチャンネルＣＨ１１を割り当てる。制御部３６は、接続要求信号が楽曲１をダウンロードするリクエストであることから、移動交換局３−関門交換局４−一般電話交換局５ｂ−一般電話交換局５ａ−ダウンロードセンター６の回線を介して、ダウンロードセンター６から楽曲１の楽曲データを読み出す。読み出した楽曲１の楽曲データは、制御部３６から送信部３８に供給されて、送信部３８で変調されＤＵＰ３８を介してアンテナ３１からＣＨ１で楽曲１の楽曲データが送信されるようになる。これにより、携帯電話機１ａはＣＨ１を受信することにより楽曲１の楽曲データをダウンロードすることができる。
【００３７】
この楽曲１の楽曲データをダウンロード中に、携帯電話機１ｂから楽曲１をダウンロードする接続要求信号があったとする。このような同じコンテンツをリクエストする接続要求信号を基地局２の接続要求信号検出部３４が検出すると、接続要求信号検出部３４は携帯電話機１ｂに受信チャンネルとしてＣＨ１を、送信チャンネルとしてサブチャンネルＣＨ１２を割り当てる。この際に、基地局２の送信部３８からはＤＵＰ３８およびアンテナ３１を介してＣＨ１で楽曲１の楽曲データが送信されている最中である。そこで、携帯電話機１ｂがＣＨ１を受信することによりストリームデータである楽曲１の楽曲データを途中からダウンロードするようになる。この時には、携帯電話機１ａはＣＨ１を受信することにより楽曲１の楽曲データを続けてダウンロードしている。
【００３８】
次いで、携帯電話機１ｃから楽曲２をダウンロードする接続要求信号があったとする。接続要求信号検出部３４は、接続要求信号中の接続先の電話番号がダウンロードセンター６とされていることからコンテンツのリクエストと判断するが、コンテンツが異なっていることから接続要求信号検出部３４は携帯電話機１ｃに受信チャンネルとしてＣＨ２を、送信チャンネルとして図３に示すフレーム１のＣＨ２（以下、「サブチャンネルＣＨ２１」とする）を割り当てる。制御部３６は、接続要求信号が楽曲２をダウンロードするリクエストであることから、移動交換局３−関門交換局４−一般電話交換局５ｂ−一般電話交換局５ａ−ダウンロードセンター６の回線を介して、ダウンロードセンター６から楽曲２の楽曲データを読み出す。読み出した楽曲２の楽曲データは、制御部３６から送信部３８に供給されて、送信部３８で変調されＤＵＰ３８を介してアンテナ３１からＣＨ２で楽曲２の楽曲データが送信されるようになる。これにより、携帯電話機１ｃはＣＨ２を受信することにより楽曲２の楽曲データをダウンロードすることができる。
【００３９】
この楽曲２の楽曲データをダウンロード中に、携帯電話機１ａにおける楽曲１のダウンロードが終了し、携帯電話機１ａがリクエストチェンジして楽曲２をダウンロードする接続要求信号を基地局２へサブチャンネルＣＨ１１で送信したとする。この楽曲２のダウンロードをリクエストする接続要求信号を基地局２の接続要求信号検出部３４が検出すると、既に楽曲２の楽曲データをＣＨ２で送信している最中なので、接続要求信号検出部３４は携帯電話機１ａに受信チャンネルとしてＣＨ２を、送信チャンネルとして図３に示すフレーム２のＣＨ２（以下、「サブチャンネルＣＨ２２」とする）を割り当てる。そこで、携帯電話機１ｂがＣＨ２を受信することにより、基地局２の送信部３８からＤＵＰ３８およびアンテナ３１を介してＣＨ２で送信されているストリームデータである楽曲２の楽曲データを途中からダウンロードできるようになる。この時には、携帯電話機１ｃはＣＨ２を受信することにより楽曲２の楽曲データをダウンロードし続けている。
さらに、基地局２の送信部３８からＤＵＰ３８およびアンテナ３１を介してＣＨ１でストリームデータである楽曲１の楽曲データが送信されており、楽曲１を途中からダウンロードしている携帯電話機１ｂが、ＣＨ１を受信することにより残る楽曲１の楽曲データをダウンロードし続けている。
【００４０】
携帯電話機１ｂにおいて残る楽曲１の楽曲データのダウンロードを終了し、終了ボタンを操作すると切断要求が基地局２にサブチャンネルＣＨ１２の送信チャンネルで送信され、基地局２はこれを受けて携帯電話機１ｂとの間の回線を切断する。同様に、携帯電話機１ｃにおいて楽曲２の楽曲データのダウンロードが終了し、終了ボタンを操作すると切断要求が基地局２にサブチャンネルＣＨ２１の送信チャンネルで送信され、基地局２はこれを受けて携帯電話機１ｃとの間の回線を切断する。
さらに、基地局２の送信部３８からＤＵＰ３８およびアンテナ３１を介してＣＨ２でストリームデータである楽曲２の楽曲データが送信されており、楽曲２を途中からダウンロードしている携帯電話機１ａが、ＣＨ２を受信することにより残る楽曲２の楽曲データをダウンロードし続けている。そして、携帯電話機１ａが残る楽曲２の楽曲データのダウンロードを終了し、終了ボタンを操作すると切断要求が基地局２にサブチャンネルＣＨ２２の送信チャンネルで送信され、基地局２はこれを受けて携帯電話機１ａとの間の回線を切断する。
【００４１】
上記の説明ではチャンネル割り当てを図３に示す本発明の第１のチャンネル割り当て方法により行うようにしたが、図４に示す本発明の第２のチャンネル割り当て方法により行うようにしてもよい。
なお、ダウンロードセンター６から配信される楽曲データや、コンテンツ配信センター７から配信される天気予報やニュースはストリームデータとされるが、このようなストリームデータを複数の電話端末局に配信する際に使用するチャンネルを予めマルチキャスト回線としてリザーブして優先的に使用できるようにしてもよい。
以上のようにして電話端末局にダウンロードされたコンテンツが楽曲データである場合は、ダウンロードされた楽曲データを着信を報知する着信メロディ用や保留音用の楽曲データとしたり、あるいは、通話を行っている際にダウンロードされた楽曲データを再生してＢＧＭとして使用してもよい。
【００４２】
【発明の効果】
本発明は以上説明したように、同じコンテンツのデータを２以上の電話端末局に伝送する際には、１つの下りチャンネルを割り当てて２以上の電話端末局に同時に伝送するようにしたので、１チャンネルにより２以上の電話端末局と接続制御局である基地局とを接続してデータを伝送することができる。これにより、回線利用率を向上することができ、呼損が発生することを極力防止することができる。
また、コンテンツのデータを伝送している最中に、同じコンテンツのリクエストが発生した場合は、リクエストした全ての電話端末局に１つの下りチャンネルを割り当てて同じコンテンツのデータを伝送するようにしている。このため、１チャンネルにより２以上の電話端末局と接続制御局である基地局とを接続してデータを伝送することができるので、回線利用率を向上することができ、呼損が発生することを極力防止することができる。
【００４３】
さらに、コンテンツのリクエスト時に電話端末局に割り当てる上りチャンネルとしては、フレーム周期の整数倍の周期毎に順次電話端末局に割り当てるようにする。あるいは、割り当てられたチャンネルの上りチャンネルを時分割して、それぞれの分割されたチャンネルをリクエストした全ての電話端末局にそれぞれ割り当てるようにする。このように、低速の上りチャンネルを割り当てるようにしても電話端末局から送信するデータはリクエストチェンジが主なデータとなるので十分伝送することができる。
【図面の簡単な説明】
【図１】本発明のチャンネル割り当て方法を適用できるセルラーシステムの概略構成を示す図である。
【図２】本発明のチャンネル割り当て方法を適用できるセルラーシステムにおける携帯電話機の構成例を示す図である。
【図３】本発明のチャンネル割り当て方法の第１の実施の形態を示す図である。
【図４】本発明のチャンネル割り当て方法の第２の実施の形態を示す図である。
【図５】本発明の接続制御局である基地局の実施の形態の構成を示す図である。
【図６】本発明にかかる基地局で実行される本発明の第１のチャンネル割り当て方法を示す第１の通信のシーケンス図である。
【図７】本発明にかかる基地局で実行される本発明の第２のチャンネル割り当て方法を示す第２の通信のシーケンス図である。
【図８】基地局と電話端末局である携帯電話機とが通信を行う際のチャンネル割り当ての従来の方法を示す図である。
【符号の説明】
１，１ａ〜１ｄ  携帯電話機、２，２ａ〜２ｄ  基地局、３  移動交換局、４  関門交換局、５ａ，５ｂ，５ｃ  一般電話交換局、６  ダウンロードセンター、７  コンテンツ配信センター、１０  ＣＰＵ、１１  ＲＡＭ、１２  ＲＯＭ、１３  通信部、１４  音声処理部、１５  楽曲再生部、１６  インタフェース、１７  入力部、１８  表示部、１９  バイブレータ、２０  外部機器、２１  マイク、２２  受話用スピーカ、２３  着信用スピーカ、２４  バス、２５  アンテナ、３１  アンテナ、３２  デュプレクサ、３３  受信部、３４  接続要求信号検出部、３５  チャンネル割当部、３６  制御部、３７  切断信号検出部、３８
送信部
【図１】
0003608447.tif 000002
【図２】
0003608447.tif 000003
【図３】
0003608447.tif 000004
【図４】
0003608447.tif 000005
【図５】
0003608447.tif 000006
【図６】
0003608447.tif 000007
【図７】
0003608447.tif 000008
【図８】
0003608447.tif 000009